(57)【特許請求の範囲】
【請求項１】
天井に取り付けられる取付ステーと、前記取付ステーに取り付けられる電子機器と、前記取付ステーに取り付けられる外部カバーと、を備えた電子装置において、
前記取付ステーに設けられたネジ穴に螺合される取付ネジをさらに備え、
前記外部カバーが、前記電子機器を覆う外部カバー本体と、前記外部カバー本体の周縁から外部に突出した外部フランジと、から構成され、
前記外部フランジには、前記取付ネジのネジ頭を通す第１通し穴と、前記第１通し穴に連通し、当該第１通し穴から弧状に延在する第１長穴であって、前記取付ネジのネジ頭を通さない第１長穴と、が設けられ、
前記第１通し穴と前記第１長穴との連結部の周縁に段差が設けられるように前記第１長穴の周縁が凹状に設けられていることを特徴とする電子装置。
【請求項２】
前記外部カバーの内側に沿うように設けられた内部カバーをさらに備え、
前記内部カバーが、前記電子機器を覆う内部カバー本体と、前記内部カバー本体の周縁から外部に突出し、前記外部フランジに重ねられる内部フランジと、から構成され、
前記内部フランジには、前記第１通し穴に重ねられ、前記ネジ頭を通すことができる第２通し穴と、前記第１長穴に重ねられ、前記ネジ頭を通すことができない第２長穴と、が設けられ、
前記外部カバー及び前記内部カバーには、前記第１通し穴と前記第２通し穴とが重なり、前記第１長穴と前記第２長穴とが重なる位置に互いに位置決めする位置決め手段がそれぞれ設けられている
ことを特徴とする請求項１に記載の電子装置。
【請求項３】
前記取付ステーは、前記電子機器を取り付けるためのネジ穴が形成された円盤状の電子機器取付部と、前記電子機器取付部の外縁から突出し、前記取付ネジを螺合するネジ穴が設けられたカバー取付部と、前記電子機器取付部の外縁から突出し、ネジ穴が形成されたステー取付部と、が１枚の金属板を打ち抜き加工することにより一体に設けられ、
前記ステー取付部が、前記電子機器取付部と垂直に折り曲げられた第１折曲部と、前記第１折曲部よりも先端側に形成され、外側に向かって前記電子機器取付部と平行に折り曲げられた第２折曲部と、を備え、前記第２折曲部よりも先端に前記ネジ穴が形成されている
ことを特徴とする請求項１又は２に記載の電子装置。
【請求項４】
前記電子機器がカメラであることを特徴とする請求項１〜３何れか１項に記載の電子装置。
【発明の詳細な説明】
【技術分野】
【０００１】
本発明は、電子装置に係り、特に、取付ステーと、前記取付ステーに取り付けられる電子機器と、前記取付ステーに取り付けられる外部カバーと、を備えた電子装置に関するものである。
【背景技術】
【０００２】
上述した電子装置として、例えば、図８及び図９に示されたドーム型カメラ１００が知られている（特許文献１）。図８に示すように、ドーム型カメラ１００は、撮影を行うためのカメラユニット１０１と、カメラユニット１０１を覆うためのカバー部１０２と、を備えている。上記カメラユニット１０１は、図８に示すように、取付面としての天井に取り付けられる取付ステーとしてのシャーシ１０３と、このシャーシ１０３に取り付けられる電子機器としてのカメラレンズ１０４と、シャーシ１０３にカメラレンズ１０４を取り付けるためのカメラ土台１０５及びカメラ取付部１０６と、を有している。上記シャーシ１０３は、カバー部１０２をカメラユニット１０１に係合するための第１係合受け部１０７ａ、１０７ｂを有している。カメラ土台１０５及びカメラ取付部１０６は、カメラレンズ１０４の撮影方向の傾き及び回転を調整するために設けられており、所定の方向を撮影できるように調整されている。
【０００３】
カバー部１０２は、シャーシ１０３に取り付けられるリング状のカバー基材１０８と、カメラユニット１０１を覆うドーム状の外部カバー１０９と、外部カバー１０９の内側に位置するドーム状の内部カバー１１０と、を有している。上記カバー基材１０８には、シャーシ１０３に設けた第１係合受け部１０７ａ、１０７ｂと係合する第１係合部１１１ａ、１１１ｂと、外部カバー１０９及び内部カバー部１１０を支持するためにその内周面から突出した第１止め受け部１１２（図９）と、が設けられている。
【０００４】
外部カバー１０９は、図９に示すように、カメラユニット１０１を覆う中空状の外部ドーム部１１３と、外部ドーム部１１３の縁から外側に突出して形成されたフランジ状の第１端部１１４と、を有している。内部カバー１１０は、図９に示すように、外部ドーム１１３の内側に沿って設けられた内部ドーム部１１５と、内部ドーム部１１５の縁から外側に突出して形成されたフランジ状の第２端部１１６と、を有している。
【０００５】
上記構成の外部カバー１０９をカバー基材１０８の内部に上から挿入すると、カバー基材１０８に設けた上記第１止め受け部１１２の上に外部カバー１０９に設けた第１端部１１４が重ねられ、外部カバー１０９がカバー基材１０８に支持される。さらに内部カバー１１０をカバー基材１０８の内部に上から挿入すると、外部カバー１０９に設けた第１端部１１４の上に内部カバー１１５に設けた第２端部１１６が重ねられ、内部カバー１１０もカバー基材１０８に支持される。上述したようにカバー基材１０８に外部カバー部１０９及び内部カバー部１１０を支持させた状態で、カバー基材１０８の第１止め受け部１１２をシャーシ１０６に設けた第１係合受け部１０７ａ、１０７ｂに係合させて、取付が完了する。
【０００６】
上述したドーム型カメラ１００によれば、外部カバー１０９及び内部カバー１１０をシャーシ１０３に固定するには、カバー基材１０８が必要となるため、コストアップになる、という問題があった。また、カバー基材１０８の第１係合部１１１ａ、１１１ｂがそれぞれシャーシ１０３の第１係合受け部１０７ａ、１０７ｂに係合する際、係合部が見えない状態での作業となるため、正しく係合されているかが分からない、という問題もあった。カバー基材１０８の第１係合部１１１ａ、１１１ｂがそれぞれシャーシ１０３の第１係合受け部１０７ａ、１０７ｂに係合しているだけなので、車両の振動および車室内の温度変化による樹脂形成部の膨張収縮により、係合が緩んでくる恐れがある、という問題があった。
【０００７】
そこで、カメラユニット１０１に取付ネジに螺合するネジ穴を設け、例えば外部カバー１０９の第１端部１１４及び内部カバー１１０の第２端部１１６に長穴を設け、取付ネジによりカメラユニット１０１に外部カバー１０９及び内部カバー１１０を取り付けることが考えられる。しかしながら、外部カバー１０９及び内部カバー１１０の長穴とカメラユニット１０１のネジ穴とが重ねるように、外部カバー１０９及び内部カバー１１０を天井に取り付けられるカメラユニット１０１に対して手で押さえた状態で、長穴とネジ穴とに取付ネジを通して螺合させる、という作業が非常に困難である、という問題があった。
【先行技術文献】
【特許文献】
【０００８】
【特許文献１】特開２００４−３５６６６８号公報
【発明の概要】
【発明が解決しようとする課題】
【０００９】
そこで、本発明は、簡単に外部カバーを取り付けることができる電子装置を提供することを課題とする。
【課題を解決するための手段】
【００１０】
上述した課題を解決するための請求項１記載の発明は、天井に取り付けられる取付ステーと、前記取付ステーに取り付けられる電子機器と、前記取付ステーに取り付けられる外部カバーと、を備えた電子装置において、前記取付ステーに設けられたネジ穴に螺合される取付ネジをさらに備え、前記外部カバーが、前記電子機器を覆う外部カバー本体と、前記外部カバー本体の周縁から外部に突出した外部フランジと、から構成され、前記外部フランジには、前記取付ネジのネジ頭を通す第１通し穴と、前記第１通し穴に連通し、当該第１通し穴から弧状に延在する第１長穴であって、前記取付ネジのネジ頭を通さない第１長穴と、が設けられ、前記第１通し穴と前記第１長穴との連結部の周縁に段差が設けられるように前記第１長穴の周縁が凹状に設けられていることを特徴とする電子装置に存する。
【００１１】
請求項２記載の発明は、前記外部カバーの内側に沿うように設けられた内部カバーをさらに備え、前記内部カバーが、前記電子機器を覆う内部カバー本体と、前記内部カバー本体の周縁から外部に突出し、前記外部フランジに重ねられる内部フランジと、から構成され、前記内部フランジには、前記第１通し穴に重ねられ、前記ネジ頭を通すことができる第２通し穴と、前記第１長穴に重ねられ、前記ネジ頭を通すことができない第２長穴と、が設けられ、前記外部カバー及び前記内部カバーには、前記第１通し穴と前記第２通し穴とが重なり、前記第１長穴と前記第２長穴とが重なる位置に互いに位置決めする位置決め手段がそれぞれ設けられていることを特徴とする請求項１に記載の電子装置に存する。
【００１２】
請求項３記載の発明は、前記取付ステーは、前記電子機器を取り付けるためのネジ穴が形成された円盤状の電子機器取付部と、前記電子機器取付部の外縁から突出し、前記取付ネジを螺合するネジ穴が設けられたカバー取付部と、前記電子機器取付部の外縁から突出し、ネジ穴が形成されたステー取付部と、が１枚の金属板を打ち抜き加工することにより一体に設けられ、前記ステー取付部が、前記電子機器取付部と垂直に折り曲げられた第１折曲部と、前記第１折曲部よりも先端側に形成され、外側に向かって前記電子機器取付部と平行に折り曲げられた第２折曲部と、を備え、前記第２折曲部よりも先端に前記ネジ穴が形成されていることを特徴とする請求項１又は２に記載の電子装置に存する。
【００１３】
請求項４記載の発明は、前記電子機器がカメラであることを特徴とする請求項１〜３何れか１項に記載の電子装置に存する。
【発明の効果】
【００１４】
以上説明したように請求項１記載の発明によれば、取付面である天井などに取り付けられた取付ステーに取付ネジを螺合した後、外部カバーの第１通し孔から取付ネジのネジ頭を通して、その後外部カバーを回転させて、取付ネジの軸を第１長穴に通すことができる。第１長穴はネジ頭を通さないように設けられているため、外部カバーから手を離してもネジ頭に支持されるため外部カバーが落下することはない。また、作業中に第１長穴に通されたネジ軸が第１通し穴に向かう方向に外部カバーが回転しても、ネジ頭が段差に当接して、第１通し孔まで回されることがないため作業中に外部カバーが落下することを防止できる。その後、取付ネジが第１長穴に挿入されている範囲内で外部カバーを回転させて取付位置を調整した後、取付ネジをさらに締めればその位置で固定することができるので、簡単に外部カバーを取り付けることができる。
【００１５】
請求項２記載の発明によれば、外部カバー及び内部カバーには、第１通し穴と第２通し穴とが重なり、第１長穴と第２長穴とが重なる位置に互いに固定する位置決め手段がそれぞれ設けられているので、外部カバー及び内部カバーを互いに重ねて位置決めした後、外部カバー及び内部カバーをまとめて取付ステーに取り付けることができ、簡単に外部カバー及び内部カバーを天井などに取り付けることができる。
【００１６】
請求項３記載の発明によれば、ステー取付部に第１、第２折曲部を設けることにより第２折曲部よりも先端を天井などに重ねて配置したとき、電子機器取付部及びカバー取付部と天井などとの間に隙間ができ、１枚の金属板を打ち抜き加工する簡単な製造方法でこれら電子機器取付部及びカバー取付部にネジを螺合させることができる。
【００１７】
請求項４記載の発明によれば、簡単にカメラの外部カバーを取り付けることができる。
【図面の簡単な説明】
【００１８】
【図１】本発明の電子装置としてのドーム型カメラの一実施形態を示す斜視図である。
【図２】図１に示すドーム型カメラの分解斜視図である。
【図３】図１の部分拡大図である。
【図４】（Ａ）〜（Ｃ）はそれぞれ図１に示すドーム型カメラの側面図、正面図、背面図である。
【図５】図４（Ｂ）のＩ−Ｉ線断面図である。
【図６】図１に示すドーム型カメラの組み立て手順を説明するための斜視図である。
【図７】図１に示すドーム型カメラの組み立て手順を説明するための斜視図である。
【図８】従来の電子装置としてのドーム型カメラの一例を示す分解斜視図である。
【図９】図８に示すドーム型カメラの断面図である。
【発明を実施するための形態】
【００１９】
以下、本発明の一実施形態における電子装置としてのドーム型カメラについて図１〜図７を参照して説明する。図２及び図５などに示すように、ドーム型カメラ１は、取付ステー２と、取付ステー２を取付面である天井などにネジ止めするための取付ステー固定ネジ３と、取付ステー２に取り付けられるカメラユニット４と、カメラユニット４を取付ステー２に取り付けるためのカメラユニット固定ネジ５と、取付ステー２に取り付けられる外部カバー６及び内部カバー７と、外部カバー６及び内部カバー７を取付ステー２に取り付けるための取付ネジとしてのカバー固定ネジ８と、を備えている。
【００２０】
上記取付ステー２は、カメラユニット固定ネジ５が螺合されるカメラユニット固定ネジ穴２１ａが形成された円盤状の電子機器取付部としてのカメラ取付部２１と、カメラ取付部２１の外縁から突出し、カバー固定ネジ８を螺合するカバー固定ネジ穴２２ａが設けられた３つのカバー取付部２２と、カメラ取付部２１の外縁から突出し、取付ステー固定ネジ３が螺合される取付ステー固定ネジ穴２３ａが形成された３つのステー取付部２３と、が１枚の金属板を打ち抜き加工することにより一体に設けられている。
【００２１】
上記カバー取付部２２及びステー取付部２３は、カメラ取付部２１の外縁に沿って交互に設けられている。上記カバー取付部２２に設けられた５つのカメラユニット固定ネジ穴２１ａのうち４つは正方形の頂点位置に設けられ、残りの１つはその正方形の中心に設けられている。このようにすることで、カメラユニット４を９０度づつ回転させた位置でそれぞれ取付ステー２に取り付けることができる。
【００２２】
上記ステー取付部２３は、カメラ取付部２１の外縁に沿って天井に向かってカメラ取付部２１と垂直に折り曲げられた第１折曲部２３ｂと、第１折曲部２３ｂよりも先端側に形成され、外側に向かってカメラ取付部２１と平行に折り曲げられた第２折曲部２３ｃと、を備え、第２折曲部２３ｃよりも先端に取付ステー固定ネジ穴２３ａが形成されている。この取付ステー固定ネジ穴２３ａは、カメラ取付部２１の外縁に沿った長穴に形成されている。
【００２３】
上記カメラユニット４は、撮影を行うカメラ４１と、カメラ４１の撮影方向の傾きを調整可能に取り付けるカメラステー４２と、カメラ４１をカメラステー４２に取り付けるためのカメラ固定ネジ４３と、を備えている。上記カメラ４１からはケーブル４４が引き出されている。
【００２４】
上記外部カバー６は、後述の内部カバー７のカメラ切欠部７１ａからのゴミ等の侵入を防止し、例えば透明なプラスチック等の透明材料から形成されている。外部カバー６は、カメラユニット４を覆うドーム状の外部カバー本体としての外部ドーム６１と、この外部ドーム６１の周縁から外側に突出した外部フランジ６２と、から構成されている。外部フランジ６２は、図３〜図５に示すように、外部ドーム６１側に設けられた天井と平行な第１外部フランジ部６２ａと、第１外部フランジ部６２ａの外部ドーム６１から離れた端部から天井に向かって立設して設けられた第２外部フランジ部６２ｂと、が設けられている。
【００２５】
そして、上記第１外部フランジ部６２ａには、図３及び図４示すように、カバー固定ネジ８のネジ頭を通す第１通し穴６３と、第１通し穴６３に連通し、第１通し穴６３から弧状に延在する第１長穴６４であって、カバー固定ネジ８のネジ頭を通さない第１長穴６４と、後述する内部カバー７を位置決めするための位置決め凹部６６（図４（Ｃ））と、が設けられている。また、図３に示すように、上記第１通し穴６３と第１長穴６４との連結部の縁部に段差６７が設けられるように、第１長穴６４の周縁に凹部６５が形成されている。
【００２６】
上記凹部６５は、第１長穴６４の一端から他端に亘って形成され、カバー固定ネジ８のネジ頭を嵌め込むことができるようにその幅がカバー固定ネジ８のネジ頭の径よりも少し大きめに設けられている。上記位置決め凹部６６は、図４（Ｃ）に示すように、第１外部フランジ部６２ａの天井側の面に設けられ、カメラ取付部２１の中心を中心軸とした１２０度ずつ３箇所に設けられている。上記第２外部フランジ部６２ｂには、図４（Ａ）に示すように、ケーブル４４を外部に引き出すためのケーブル切欠６８が設けられている。
【００２７】
上記内部カバー７は、カメラユニット４が外部から視認できないように、不透明材料から形成されていて、外部カバー６の内側に沿うように設けられている。内部カバー７は、図２及び図５外部ドーム６１の内側に沿うように設けられたドーム状の内部カバー本体としての内部ドーム７１と、内部ドーム７１の周縁から外側に突出して設けられ、外部フランジ６２に重ねられる内部フランジ７２と、から構成されている。内部ドーム７１には、カメラ切欠部７１ａが設けられ、このカメラ切欠部７１ａを介してカメラユニット４が撮影する構造となっている。
【００２８】
上記内部フランジ７２は、図３及び図５に示すように、内部ドーム７１側に設けられた天井と平行な第１内部フランジ部７２ａと、第１内部フランジ部７２ａの内部ドーム７１から離れた側の端部から天井に向かって立設して設けられた第２内部フランジ部７２ｂと、が設けられている。
【００２９】
上記第１内部フランジ部７２ａは、外部カバー６の第１外部フランジ部６２ａに重ねられる。上記第１内部フランジ部７２ａには、図２に示すように、第１通し穴６３に重ねられ、カバー固定ネジ８のネジ頭を通すことができる第２通し穴７３と、第１長穴６４に重ねられ、カバー固定ネジ８のネジ頭を通すことができない第２長穴７４と、上記外部カバー６を位置決めするための位置決め手段としての位置決め凸部７５と、が設けられている。
【００３０】
第２通し穴７３と第２長穴７４とは連結されている。上記位置決め凸部７５は、図２に示すように、第１内部フランジ部７２ａの天井から離れた側の面に設けられ、カメラ取付部２１の中心を中心軸とした１２０度ずつ３箇所に設けられていて、前記外部カバー６に設けた位置決め手段としての位置決め凹部６６に嵌め込むことができる。上記第２内部フランジ部７２ｂは、外部カバー６の第１外部フランジ部６２ａに重ねられる。上記第２内部フランジ部７２ｂには、ケーブル４４を引き出すためのケーブル切欠７６が設けられている。
【００３１】
次に、上述した構成のドーム型カメラ１の取り付けて順について説明する。まず、図６に示すように、取付ステー２の所望の位置にカメラユニット４をカメラユニット固定ネジ５で固定し、さらに取付ステー２のカバー固定ネジ穴２２ａにカバー固定ネジ８を仮締めしておく。次に、取付ステー２を取付ステー固定ネジ３で天井に取り付ける。
【００３２】
また、内部カバー７に設けた位置決め凸部７５と外部カバー６に設けた位置決め凹部６６とが嵌合するように、外部カバー６及び内部カバー７を重ねる。これにより、外部カバー６及び内部カバー７のケーブル切欠６８及び７６、第１通し穴６３及び第２通し穴７３、第１長穴６４及び第２長穴７４が重なり合う。その後、図７（Ａ）に示すように、ケーブル４４の引き出し方向に互いに重ねられたケーブル切欠６８、７６を向けて、ケーブル４４をケーブル切欠６８、７６に通す。次に、外部カバー６及び内部カバー７の第１通し穴６３及び第２通し穴７３に取付ステー２に仮締めされたカバー固定ネジ８のネジ頭を通し、外部カバー６及び内部カバー７を時計方向に回すことで、図７（Ｂ）に示すように、カバー固定ネジ８の軸を第１長穴６４、第２長穴７４に通してネジ頭を凹部６５に嵌める。これにより外部カバー６及び内部カバー７から手を離しても外部カバー６及び内部カバー７が落下することはない。
【００３３】
また、何らかの拍子で第１長穴６４及び第２長穴７４に通されたカバー固定ネジ８のネジ軸が第１通し穴６３及び第２通し穴７３に向かう方向に外部カバー６及び内部カバー７が回転しても、カバー固定ネジ８のネジ頭が段差６７に当接して、第１通し穴６３及び第２通し穴７３まで回されることがないため作業中に外部カバー６及び内部カバー７が落下することはない。
【００３４】
その後、図７（Ｃ）に示すように、内部カバー７のカメラ切欠７１ａの中心がカメラユニット４の中心になるように外部カバー６及び内部カバー７を回転させながら微調整し、ドライバーなどでカバー固定ネジ８を締め付けて取り付けが完了する。
【００３５】
上述したドーム型カメラ１によれば、外部カバー６の外部フランジ６２には、カバー固定ネジ８のネジ頭を通す第１通し穴６３と、第１通し穴６３に連通し、当該第１通し穴６３から弧状に延在する第１長穴６４であって、カバー固定ネジ８のネジ頭を通さない第１長穴６４と、が設けられ、第１通し穴６３と第１長穴６４との連結部の周縁に段差６７が設けられるように、第１長穴６４の周縁に凹部６５が設けられている。これにより、上述したように天井に取り付けられた取付ステー２にカバー固定ネジ８を螺合した後、外部カバー６の第１通し孔６３からカバー固定ネジ８のネジ頭を通して、その後外部カバー６を回転させて、カバー固定ネジ８の軸を第１長穴６４に通すと共にネジ頭を凹部６５に嵌め込むことができる。第１長穴６４はネジ頭を通さないように設けられているため、外部カバー６から手を離してもネジ頭に支持されるため外部カバー６が落下することはない。また、作業中に第１長穴６４に通されたネジ軸が第１通し穴６３に向かう方向に外部カバー６が回転しても、ネジ頭が段差に当接して、第１通し孔６３まで回されることがないため作業中に外部カバー６が落下することを防止できる。その後、カバー固定ネジ８が第１長穴６４に挿入されている範囲内で外部カバー６を回転させて取付位置を調整した後、カバー固定ネジ８をさらに締めればその位置で固定することができるので、簡単に外部カバー６を天井に取り付けることができる。
【００３６】
また、上述したドーム型カメラ１によれば、外部カバー６及び内部カバー７には、第１通し穴６３と第２通し穴７３とが重なり、第１長穴７３と第２長穴７４とが重なる位置に互いに固定する位置決め凹部６６、位置決め凸部７５がそれぞれ設けられているので、外部カバー６及び内部カバー７を互いに重ねて位置決めした後、外部カバー６及び内部カバー７をまとめて取付ステー２に取り付けることができ、簡単に外部カバー６及び内部カバー７を天井に取り付けることができる。
【００３７】
また、上述したドーム型カメラ１によれば、ステー取付部２３に第１、第２折曲部２３ｂ、２３ｃを設けることにより第２折曲部２３ｂよりも先端を天井に重ねて配置したとき、カメラ取付部２１及びカバー取付部２２と天井との間に隙間ができ、１枚の金属板を打ち抜き加工する簡単な製造方法でこれらカメラ取付部１２及びカバー取付部２２にカメラユニット固定ネジ５、カバー固定ネジ８を螺合させることができる。
【００３８】
なお、上述した実施形態は、外部カバー６及び内部カバー７を備えたドーム型カメラ１に適用したものを挙げていたが、本発明はこれに限ったものではない。天井に取り付ける電子装置であればよく、ドーム型カメラに限ったものではなく、内部カバー７を備えていなくてもよい。
【００３９】
また、上述した取付ステー２は、１枚の金属板を打ち抜き加工して設けていたが、本発明はこれに限ったものではない。取付ステー２としては、樹脂などで構成されたものであってもよい。
【００４０】
また、上述した実施形態では、外部カバー６に位置決め凹部６６、内部カバー７に位置決め凸部７５を設けていたが、本発明はこれに限ったものではない。例えば、外部カバー６に位置決め凸部７５を設け、内部カバー７に位置決め凹部６６を設けるようにしてもよい。
【００４１】
また、上述したカメラユニット４は、ネジ止めにより取付ステー２に取り付けられていたが、本発明はこれに限ったものではない。係合によって取付ステー２に取り付けられるようにしてもよい。
【００４２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１      ドーム型カメラ（電子装置）
２      取付ステー
６      外部カバー
７      内部カバー
８      カバー固定ネジ（取付ネジ）
２１    カメラ取付部（電子機器取付部）
２２    カバー取付部
２３    ステー取付部
２３ｂ  第１折曲部
２３ｃ  第２折曲部
２２ａ  カバー固定ネジ穴（ネジ穴）
６１    外部ドーム（外部カバー本体）
６２    外部フランジ
６３    第１通し穴
６４    第１長穴
６５    凹部
６６    位置決め凹部（位置決め手段）
６７    段差
７１    内部ドーム（内部カバー本体）
７２    内部フランジ
７３    第２通し穴
７４    第２長穴
７５    位置決め凸部（位置きめ手段）
【図１】
0005892586.tif 000002
【図２】
0005892586.tif 000003
【図３】
0005892586.tif 000004
【図４】
0005892586.tif 000005
【図５】
0005892586.tif 000006
【図６】
0005892586.tif 000007
【図７】
0005892586.tif 000008
【図８】
0005892586.tif 000009
【図９】
0005892586.tif 000010